(57)【要約】【課題】限られた机の上、作業台等のパソコン作業、手書き書類作成、その他の作業等を行う場合有効利用するための課題を解決する。【解決手段】  机の上、作業台の上に机、作業台の収納スペ−ス便利台を設置し、図１、図２のようにキーボードを矢印方向に前後させることによりキーボード設置スペースを確保し、また、書面の手書き、また、その他の作業も可能になります。その他に机、作業台の上が有効的に広く使用できるため、余分な机、作業台を必要とせず、部屋のスペ−ス空間を有効利用が可能になります。【選択図】  図３
2007188292.tif 000002
【特許請求の範囲】
【請求項１】
本件の請求項は、机の上・作業台等のパソコンのモニタ−とパソコン・キーボードのスペース又は空間を有効且つ他の作業等を解決するための請求項であります。これらを解決するためには、作業、書き物をする場合パソコン・キーボード等で他の作業を行うに当たって支障になるため、パソコン・モニタ−の下部にキーボードの収納スペースを作る事により机、作業台のスペ−スを有効に確保される。それらは、キーボードを滑らすように出し入れする事により解決できます。また、机、作業机等の表面に傷がつく様な場合は、キーボード下部に保護マット等を装着する事により解決される。パソコン・モニターの下にキーボードが収納出来るスペ−スを確保し、また、高さを自由自在に変えれるようにすれば、作業する人の姿勢等が改善される。それらにより、良い姿勢を保つ事により、肩こり、腰痛等の人への配慮ができる。これらのパソコン・キーボード収納スペースを確保する事により、従来は机、作業台の大きな物を選定する必要がありましたが、この収納スペースを設ける事により、従来の机、作業台で十分スペースを確保出来、また、部屋等のスペースも有効に使用が出来る。
【発明の詳細な説明】
【技術分野】
【０００１】
本発明は、机、作業台などの収納スペース便利台                
【背景技術】
【０００２】
今までの事務所、その他パソコン等で作業、仕事をする場合は、狭い机の上にパソコンを設置して作業したり、また、パソコンの専用のデスクと事務机をならべて作業を行っていました。それらは、人が作業性等を最優先するため部屋の限られた空間に机、作業机等を数多く設置することにより、確保されますが、そのため、人が移動する空間も狭くさせ、机、作業台を増やす事により、パソコン等の電気機器等の配線が広範囲に広がります。そのため、くもの巣状にケ−ブルが敷き詰められる訳である。最悪は、それらの線に手足等で引っ掛け電気機器の配線を断線させたり、人自身がケガをしたりします。また、大きな机、作業台等で作業等を並べれば机の上のスペースは確保されますが、回転椅子で椅子を回転させたり、椅子事に人が移動しなければなりません。今までは、生活、仕事、作業をする上で、机の上のパソコンキーボードが机のスペースを狭めていた。また、机、作業台の整理も困難であった。最近では、オフィスの簡略化、スマート化等を取り入れる事により作業仕事の効率化を図るため、机・作業台等のシンプル化を要求されるようになってきました。事務所、作業場、自宅の部屋のイメ−ジをスマート且つ、部屋・机等の上面のスペース確保するために、最近では薄型液晶画面タイプ等が普及されているが、それでも、デスク型パソコン等のスペ−スは構造的にもキーボード部のスペ−スが有効的には、まだ至っていなのが現状である。一般にパソコンのキーボードのスペース確保するために、キーボード自身がモニタ−画面側に折りたたみ式を採用されていたりするが、それらは、パソコン画面をふさぐ状態であり、パソコンの画面を見て写し書きするには大変困難である。また、キーボード本体を無線式にして、強制的に他の場所等に移動する事により一時的に確保できるが、あまり効率的ではありません。極端な場合キーボードを移動する際に落下させたり、角にぶつける事により、キーボード本体を傷つける問題があった。この改善策として、必要最小限のスペースまた、面積を確保するためにパソコンのモニターの下部にキーボードが収納できるスペースを確保すれば、それらがすべて解決できます。
【発明の開示】
【発明が解決しようとする課題】
【０００３】
机、作業台の上でパソコン等の作業をする場合は、机、作業台のスペースは限られた面積スペースであるため、作業性の限界がる。
【課題を解決するための手段】
【０００４】
本発明は、限られた机の上の面積を有効利用するために、モニター等の下部にキーボード等の収納するスペースを加える事により、有効利用、作業性の効率、作業者の健康等も拝領したものである。また図で示しているが、便利台を壁側にきっちりと当てた場合は配線等が断線する恐れがあるため、配線保護のための切り込み部を備え付けてあります。ですから、見た目もすっきり収納も行えます。今後は、パソコンモニタ−自身の下部にキーボードを収納するスペースを持つ一体型考える事が出来る。
【発明の効果】
【０００５】
本発明は、モニタ−の下部にキーボードを収納できるスペースを確保する事により書面等、また、その他の作業する場合キーボードをモニター下部に収納することによりキーボードがあった場所で他の机、作業台に移動しなくても、効率的に行えます。また図１、図２の矢視４で示している（オプション）モニター課題の４点以上の上下させる高さ調整ボルト型の足を設置することによりモニター画面が上下できるため、目の視線を調整出来ます。作業者は一人一人が体形が異なるため、調整可能に出来ることによりモニターを見る視線をその人に合わせて調整可能にする事により健康的に腰を屈めることもないため、腰を伸ばす事ができ、生活習慣病を防ぐ事も出来ます。祖他、地震等の考慮として、オプションで振動防止のための滑落防止用着部材を取り付けることによりそれらも改善されます。
【発明を実施するための最良の形態】
【０００６】
本発明品で高さ調整に限界がある場合は、本便利台を２段上下に重ね固定する事により&#61472;収納スペ−スがさらに増え書類等が収納でき、また、モニタ−の見る角度も変わるため調整は大幅に可能になる。旧式のデスク型パソコンは、パソコン本体の上にモニターが搭載されたものが多かったため２段に重ねても、問題ないものである。本発明品で高さ調整に限界がある場合は、本便利台を２段上下に重ね固定する事により&#61472;収納スペ−スがさらに増え書類等が収納でき、また、モニターの見る角度も変わるため調整は大幅に可能にる従来のデスク型パソコンは、パソコン本体の上にモニターが載っていたものが多かっため２段に重ねても、問題ないものである。図１で示すようにキーボードを本体前の矢印どおりに移動することにより簡単に収納が可能になり、机、作業台のスペースが広く確保えます。その他、パソコン本体の設置は机の上、作業台の上、また、机、作業台の下に収納することにより机、作業台の上はスペ−スが確保されます。従来のモニター&#61615;画面はブラウン管の物が多かったが、この発明品本体は、面構造で成り立っているためブラウン管タイプの重量のある物体でも十分耐えられる構造であります。
【実施例１】
【０００７】
図１は本装置の実施した図面である。
【産業上の利用可能性】
【０００８】
図２パソコン机、作業台等の収納スペース便利台本体で簡単な構造図である。この発明品の基本構造物は大きく分けて両側の柱構造となる面構造の２つの面とその上の屋根となる面を含む３つ面状から成り立っているため簡単である。材質は、大変シンプル構造ですから、強度の得る材質であれば木材品、樹脂製品、金属材料品等を利用しても組み立てが簡単に行えます。
【図面の簡単な説明】
【０００９】
【図１】パソコン机などの収納スペース便利台実施方法を示した全体図で通常のパソコンキーボードを出した状態を示した図である。
【図２】パソコン机などの収納スペース便利台実施方法を示した全体図で通常のパソコンキーボードを収納した状態を示した図である。
【図３】パソコン机などの収納スペース便利台実施方法を示した詳細図である。
【図４】パソコン机などの収納スペース便利台の本体詳細図である。
【符号の説明】
【００１０】
１パソコンモニター画面
２本発明品（収納スペ−ス便利台）
３パソコンキーボード
４高さ調整ボルト  高さを調整するため（オプション）
５モニタ−配線類の保護切り込み部
６上面板
７側面板１
８側面板２
９配線保護のための切り込み部
【図１】
2007188292.tif 000003
【図２】
2007188292.tif 000004
【図３】
2007188292.tif 000005
【図４】
2007188292.tif 000006